(57)【要約】【課題】光強度むらが目立ち難い照明装置、液晶表示装置及び電子機器を提供する。【解決手段】照明装置４は、配列された複数の光源１２と、一方の面に凸条の稜線を有するプリズム構造が複数配列された少なくとも一つの集光シート２２と、を有し、集光シート２２は、複数の光源１２の出光側に、一方の面を光源１２とは反対に向けて配置されると共に、集光シート２２のプリズム構造の凸条の稜線の延在方向と、複数の光源１２の隣り合う光源１２の配列方向とは、互いに一致しない。【選択図】図１
2010049955.tif 000002
【特許請求の範囲】
【請求項１】
配列された複数の光源と、
一方の面に凸条の稜線を有するプリズム構造が複数配列された少なくとも一つの集光シートと、
を有し、
前記集光シートは、前記複数の光源の出光側に、前記一方の面を前記光源とは反対に向けて配置されると共に、
前記集光シートの前記プリズム構造の凸条の稜線の延在方向と、前記複数の光源の隣り合う該光源の配列方向とは、互いに一致しないことを特徴とする照明装置。
【請求項２】
請求項１に記載の照明装置において、
前記集光シートの前記プリズム構造は、断面三角波状の周期的な凹凸形状であることを特徴とする照明装置。
【請求項３】
請求項１又は２に記載の照明装置において、
前記複数の光源は、異なる色の色光を発光する複数の発光部を含む光源であることを特徴とする照明装置。
【請求項４】
請求項１又は２に記載の照明装置において、
前記複数の光源は、異なる色の色光を発光する光源を含むことを特徴とする照明装置。
【請求項５】
請求項１〜４のいずれか一項に記載の照明装置において、
前記集光シートと前記複数の光源との間に敷設され、前記光源からの光を拡散して前記集光シートに射出する光拡散シートを有することを特徴とする照明装置。
【請求項６】
請求項１〜５のいずれか一項に記載の照明装置において、
前記集光シートは、第１の集光シートと第２の集光シートとを有し、
前記第１の集光シートと前記第２の集光シートとの前記プリズム構造の凸条の稜線の延在方向は、互いに交差することを特徴とする照明装置。
【請求項７】
請求項１〜６のいずれか１つに記載の照明装置と、
前記照明装置の前記集光シートの出光側に配置される複数の画素を配列する液晶表示パネルと、
を有し、
前記複数の画素の隣り合う該画素の配列方向と、前記集光シートの前記プリズム構造の凸条の稜線の延在方向とは、互いに一致しないように配置されていることを特徴とする液晶表示装置。
【請求項８】
請求項７に記載の液晶表示装置を表示部に搭載したことを特徴とする電子機器。
【発明の詳細な説明】
【技術分野】
【０００１】
本発明は、照明装置、液晶表示装置及び電子機器に関するものである。
【背景技術】
【０００２】
一般に、液晶表示装置等の電子表示装置は、非発光型の表示媒体を透明基板で保持した液晶表示パネルを用いているため、明所では高いコントラストの表示が可能であるが、暗所では表示画像が視認しにくくなるといった問題を有している。かかる問題を解決するため、透過型電気光学パネルの背後に照明装置を備えた電子表示装置が従来開発されている（例えば、特許文献１参照）。
【０００３】
特許文献１に記載の照明装置は、複数の発光ダイオード（ＬＥＤ：Light Emitting Diode）が２次元的に実装された基板と、ＬＥＤから発せられた光を拡散可能な光拡散シートと、を積層してなる。
【０００４】
【特許文献１】特開２００６−３１００１４号公報
【発明の開示】
【発明が解決しようとする課題】
【０００５】
しかしながら、光源を液晶パネル下に配列する直下型の照明装置を備えた液晶表示装置において、光源が点光源で、且つ３原色（青色、緑色、赤色）、若しくは、擬似白色（青色＋黄色蛍光体）と赤色光源を組み合わせた場合、面内の色むらが発生しやすいという問題があった。
【課題を解決するための手段】
【０００６】
本発明は、上述の課題の少なくとも一部を解決するためになされたものであり、以下の形態又は適用例として実現することが可能である。
【０００７】
［適用例１］配列された複数の光源と、一方の面に凸条の稜線を有するプリズム構造が複数配列された少なくとも一つの集光シートと、を有し、前記集光シートは、前記複数の光源の出光側に、前記一方の面を前記光源とは反対に向けて配置されると共に、前記集光シートの前記プリズム構造の凸条の稜線の延在方向と、前記複数の光源の隣り合う該光源の配列方向とは、互いに一致しないことを特徴とする照明装置。
【０００８】
これによれば、隣り合う光源の並び（格子配置や千鳥配置等）に対して集光シートのプリズム構造の凸条の稜線の延在方向がずれているため、集光シートのプリズム構造の凸条の稜線の延在方向の光強調が緩和されやすくなる。従って、光源の並び毎に明と暗が繰り返される場合に比べて、光強度むらが密集しにくいので、光強度むらが目立ち難い照明装置を提供することができる。
【０００９】
［適用例２］上記照明装置であって、前記集光シートの前記プリズム構造は、断面三角波状の周期的な凹凸形状であることを特徴とする照明装置。
【００１０】
これによれば、垂直に入ってきた光を面光源側に返すことにより、光の利用率を高めることができる。
【００１１】
［適用例３］上記照明装置であって、前記複数の光源は、異なる色の色光を発光する複数の発光部を含む光源であることを特徴とする照明装置。
【００１２】
これによれば、集光シートのプリズム構造の凸条の稜線の延在方向が隣り合う光源上を通過しないように容易に設定できる。
【００１３】
［適用例４］上記照明装置であって、前記複数の光源は、異なる色の色光を発光する光源を含むことを特徴とする照明装置。
【００１４】
これによれば、集光シートのプリズム構造の凸条の稜線の延在方向が隣り合う各色の光源上を通過しないように容易に設定できる。
【００１５】
［適用例５］上記照明装置であって、前記集光シートと前記複数の光源との間に敷設され、前記光源からの光を拡散して前記集光シートに射出する光拡散シートを有することを特徴とする照明装置。
【００１６】
これによれば、２次元的に配置された複数の光源が発した光が光拡散シートに入射する。入射光は、光拡散シートによって拡散し、一様な状態の光として射出される。従って、光拡散シートの射出面から好適である一様な光を集光シートに照射することができる。
【００１７】
［適用例６］上記照明装置であって、前記集光シートは、第１の集光シートと第２の集光シートとを有し、前記第１の集光シートと前記第２の集光シートとの前記プリズム構造の凸条の稜線の延在方向は、互いに交差することを特徴とする照明装置。
【００１８】
これによれば、複数のプリズム構造の凸条の稜線が互いに交差した第１の集光シートと第２の集光シートとを有する構成となるため、集光シートが１つの場合に比べて、明るい表示が可能である。又、各集光シートのプリズムによって明暗が生じていても、それぞれの明暗が打ち消されるように、交差するプリズムの配列方向のなす角度を調整すれば、より干渉縞や光強度むらが目立ち難い液晶表示装置を提供することができる。望ましくは、交差する角度を略直角とすれば、一方の集光シートからの光の射出角度を他方の集光シートのプリズムによってより正面方向に向かせて、正面方向から見た場合より明るい表示とすることができる。
【００１９】
［適用例７］上記のいずれか１つに記載の照明装置と、前記照明装置の前記集光シートの出光側に配置される複数の画素を配列する液晶表示パネルと、を有し、前記複数の画素の隣り合う該画素の配列方向と、前記集光シートの前記プリズム構造の凸条の稜線の延在方向とは、互いに一致しないように配置されていることを特徴とする液晶表示装置。
【００２０】
これによれば、隣り合う光源の並び（格子配置や千鳥配置等）に対して集光シートのプリズム構造の凸条の稜線の延在方向がずれているため、集光シートのプリズム構造の凸条の稜線の延在方向の光強調が緩和されやすくなる。従って、光源の並び毎に明と暗が繰り返される場合に比べて、光強度むらが密集しにくいので、光強度むらが目立ち難い液晶表示装置を提供することができる。
【００２１】
［適用例８］上記に記載の液晶表示装置を表示部に搭載したことを特徴とする電子機器。
【００２２】
これによれば、光強度むらが目立ち難い液晶表示装置を搭載しているため、表示むら等が少ない見映えのよい電子機器を提供することができる。又、光源の光出力を低下させても明るい表示が可能なため、光源の消費電力を低減した低消費電力型の電子機器を提供することができる。
【発明を実施するための最良の形態】
【００２３】
以下、本実施形態について、図を参照して説明する。尚、各図では、各層や各部材を図面上で認識可能な程度の大きさとするため、各層や各部材毎に縮尺を異ならせてある。又、本実施形態を説明する際に不要なものについては、記載を省いている。
【００２４】
（第１の実施形態）
図１は、本実施形態に係る液晶表示装置２を示す分解斜視図である。図２は、本実施形態に係る液晶表示装置２を示す模式断面図である。尚、図１では、図２に示す制御装置を省略している。本実施形態に係る液晶表示装置２は、図１及び図２に示すように、照明装置としてのバックライト装置４と、液晶表示パネル６とを積層してなる装置である。
【００２５】
（バックライト装置）
バックライト装置４は、液晶表示パネル６の背面側に設けられており、基板１０に複数の光源としてのＬＥＤ１２が２次元的に実装された面光源としての電子回路基板１４と、光反射シート１６と、スペーサ１８と、光拡散シート２０と、第１の集光シートとしてのプリズムシート２２と、第２の集光シートとしてのプリズムシート２４と、を積層してなる装置である。
【００２６】
（基板）
基板１０の一面には、複数のＬＥＤ１２が２次元的に実装されると共に、これら複数のＬＥＤ１２とＬＥＤ用駆動装置２６とを接続するプリント回路が形成されている。尚、プリント回路の回路構造は公知のものを適用可能であり、図面の簡略化のため図示を省略する。基板１０の材料としては、電気絶縁性、耐熱性及び機械的安定性に優れたポリイミド樹脂、ポリエステル樹脂又はフェノール樹脂が好適である。
【００２７】
（ＬＥＤ）
ＬＥＤ１２は、表面実装型・チップ型のＬＥＤであり、実装後の基板１０の面からの高さが１ｍｍ以下となるサイズを有している。複数のＬＥＤ１２は、異なる色の色光を発光するＬＥＤである。本実施形態におけるＬＥＤ１２として、赤色ＬＥＤ１２ａ、緑色ＬＥＤ１２ｂ及び青色ＬＥＤ１２ｃが用いられている。即ち、バックライト装置４は、色純度の高い３原色光のいずれかを発光するＬＥＤ１２を備えている。これらＬＥＤ１２は、基板１０の一面に、グリッド状且つ等間隔に配置されている。例えば四角或いはデルタに配置されている。
【００２８】
又、各ＬＥＤ１２ａ，１２ｂ，１２ｃが順に配置され、方向特異性や面内依存性（照明光の面内不均一性）が出ないように配慮されている。即ち、これら複数のＬＥＤ１２が基板１０に２次元的に実装されることにより、電子回路基板１４が構成されている。このＬＥＤ１２の数及び配置は、後記する液晶表示パネル６の画素構造と対応する必要はなく、液晶表示パネル６の画素数よりも少なくてもよく、液晶表示装置２で求められる所望の輝度に応じて決定すればよい。
【００２９】
又、高い輝度を得るためにはＬＥＤ１２の実装密度を高めればよい。又ＬＥＤ１２は、チップ型のＬＥＤに限らず、小型のＬＥＤであればよい。
【００３０】
（ＬＥＤの実装方法）
ここで、ＬＥＤ１２の基板１０に対する実装方法の一例について、表面実装型・チップ型のＬＥＤを使用する場合を例にとって説明する。先ず、基板１０の一面に金属薄膜（例えば、銅）を形成する。続いて、リソグラフィ法又はエッチング法によって金属薄膜によるパターン電極を形成する。
【００３１】
続いて、所定位置にクリームハンダを塗布し、その上にＬＥＤ１２を配置する。続いて、クリームハンダを加熱して溶融し、ＬＥＤ１２とパターン電極を結線する。かかる方法を用いることにより、大量のＬＥＤ１２を一度に基板１０に実装することが可能となり、電子回路基板１４の製造が容易となる。
【００３２】
そして、このパターン電極とＬＥＤ用駆動装置２６とがリード線によって結線されることにより、ＬＥＤ１２に電力を供給することが可能となる。
【００３３】
（光反射シート）
図３は、本実施形態に係る光反射シート１６及び基板１０を示す模式断面図であり、（Ａ）は組付前を示す図、（Ｂ）は組付後を示す図である。光反射シート１６は、図３（Ａ）に示すように、光反射層１６ａと絶縁層１６ｂとを積層してなるシートである。この光反射シート１６には、複数のＬＥＤ１２を挿通させるために複数の孔１６ｃが形成されている。この光反射シート１６は、図３（Ｂ）に示すように、絶縁層１６ｂを基板１０に向けた状態で、ＬＥＤ１２を孔１６ｃに挿通させた状態に配置される。この光反射シート１６は、ＬＥＤ１２同士の間に設けられており、基板１０による光吸収を防ぐと共に、ＬＥＤ１２から発せられた光を光反射層１６ａによって反射させ、スペーサ１８及び光拡散シート２０に入射させるためのシートである。光反射シート１６によって、バックライト装置４は、光の利用率を高め、輝度を向上させることができる。
【００３４】
又、光反射シート１６は絶縁層１６ｂを備えているので、電子回路基板１４のプリント回路との間で通電しない様になっている。これら光反射層１６ａ及び絶縁層１６ｂの材料は、公知のものを使用可能である。光反射層１６ａは白色や鏡状の反射シートである。例えば、光反射層１６ａとしてはアルミニウム薄膜を使用可能であり、絶縁層１６ｂとしては、樹脂薄膜を使用可能である。
【００３５】
（スペーサ）
図１及び図２に戻り、スペーサ１８は、基板１０及び光反射シート１６と光拡散シート２０との間に積層されたシートであり、ＬＥＤ１２と光拡散シート２０との間隔を保持するためのシートである。バックライト装置４は、ＬＥＤ１２と光拡散シート２０との間にスペーサ１８を介設することによって、ＬＥＤ１２が発した光が光拡散シート２０に入射するまでにスペースを確保し、このスペースで光を拡散させることができる。スペーサは、本実施形態のようなシート状のほか、柱状のスペーサでスペースを確保する構成であってもよい。スペーサ１８の材料としては、透明な合成樹脂が好適である。
【００３６】
（プリズムシート）
プリズムシート２２，２４は、スペーサ１８と液晶表示パネル６との間に積層されたシートである。プリズムシート２２，２４は、電子回路基板１４の出光側に対応している。
図４は、本実施形態に係るプリズムシート２２，２４の形状を示す拡大図である。
本実施形態におけるプリズムシート２２，２４は、スペーサ１８と反対側の面に鋸状の溝部２２ａ，２４ａが形成された頂角９０度±１５度のプリズム構造２２ｂ，２４ｂからなる。プリズム構造２２ｂ，２４ｂは、断面三角波状の周期的な凹凸形状である。プリズム構造２２ｂ，２４ｂは、プリズムシート２２，２４の液晶表示パネル６側に向けて配置されている。プリズム構造２２ｂ，２４ｂは、プリズムシート２２，２４の電子回路基板１４と反対側の向きに配置されている。プリズム構造２２ｂ，２４ｂは、プリズムシート２２，２４の表面に細かく連続的に形成されている。
【００３７】
プリズムシート２２，２４は、ＬＥＤ１２が発した光が液晶表示パネル６の入射面に一様に入射するように屈折・拡散させるためのシートであり、光の強度及び波長スペクトルの分布を一様化させる。プリズムシート２２，２４は、シートと空気の屈折率差の影響で、正面の輝度を上げる集光機能と、プリズム構造の凸条の稜線の延在方向に沿って光が反射して広がっていく反射機能とを備えている。
【００３８】
プリズム構造２２ｂとプリズム構造２４ｂとの凸条の稜線の延在方向は、互いに交差する。又は、溝部２２ａと溝部２４ａとの凹条の溝の延在方向は、互いに交差するように配置されている。これらプリズムシート２２，２４は、光拡散の効果を高めるため、即ち、より等方的に光を拡散させることができる。
【００３９】
プリズムシート２２，２４の材料としては、透明な合成樹脂が好適である。例えば、ＰＥＴ（ポリエチレンテレフタレート）等の透明フィルムの表面に、アクリル系樹脂等のフォトポリマーを用いて、それぞれ断面形状が略三角形の複数の凸条であるプリズム構造２２ｂ，２４ｂが形成されたものである。
【００４０】
尚、図示するプリズムシート２２，２４は、溝部２２ａ，２４ａの間隔が一定となっているが、回折現象を防ぐため、溝部２２ａ，２４ａの間隔を不定周期とする構成であってもよい。又、プリズムシート２２，２４の枚数も、適宜設定変更可能であり、例えば、４枚のプリズムシートを、それらの溝部が互いに直交するように配置する構成であってもよい。又、複数枚のプリズムシートのうちの一部を、スペーサとＬＥＤとの間に配置する構成であってもよい。又、各プリズム構造の断面形状が略三角形となっているが、これに限定されず、断面形状が曲線を含むものでもよい。
【００４１】
図５は、本実施形態に係る複数のＬＥＤ１２の配列とプリズムシート２２，２４のプリズム構造２２ｂ，２４ｂの凸条の稜線の延在方向とを示す平面図である。ＬＥＤ１２は、図５に示すように、異なる色の色光を発光するＬＥＤである。
【００４２】
破線３０は右上のＬＥＤ１２ｃに対する隣り合うＬＥＤの並び方向を示している。ここで、隣り合うＬＥＤとは、あるＬＥＤと、それを２重に取り囲む各ＬＥＤとのことである。例えば、図５に示す右上のＬＥＤ１２ｃは２４個の各ＬＥＤと隣り合う、図はその１／４事象を含む８個のＬＥＤを示している。尚、隣り合うＬＥＤとは、あるＬＥＤと、それを三重以上に取り囲む各ＬＥＤとのことであってもよい。
【００４３】
実線３２はプリズムシート２２（２４）のプリズム構造２２ｂ（２４ｂ）の凸条の稜線の延在方向を示している。複数のＬＥＤ１２の隣り合うＬＥＤ１２ｃ（Ｂ）の並びと、プリズムシート２２，２４のプリズム構造２２ｂ，２４ｂの凸条の稜線の延在方向とは、互いに交差する（一致しない）ように配置されている。同様に、複数のＬＥＤ１２の隣り合うＬＥＤ１２ａ（Ｒ）の並びと、プリズムシート２２，２４のプリズム構造２２ｂ，２４ｂの凸条の稜線の延在方向とは、互いに交差する（一致しない）ように配置されている。又、複数のＬＥＤ１２の隣り合うＬＥＤ１２ｂ（Ｇ）の並びと、プリズムシート２２，２４のプリズム構造２２ｂ，２４ｂの凸条の稜線の延在方向とは、互いに交差する（一致しない）ように配置されている。
【００４４】
複数のＬＥＤ１２の隣り合うＬＥＤ１２の並びと、プリズムシート２２，２４のプリズム構造２２ｂ，２４ｂの凸条の稜線の延在方向とが、ずれることによりプリズム構造で反射する光と正面に射出される光の割合が変わるので、プリズムシートのプリズム構造の凸条の稜線の延在方向の光強調が緩和されやすくなる。従ってＬＥＤの並び毎に明と暗が繰り返される場合に比べて、光強度むらが密集しにくいので、光強度むらが目立ち難くなる。
【００４５】
（光拡散シート）
図１及び図２に戻り、光拡散シート２０は、プリズムシート２２と面光源１４との間に敷設されている。光拡散シート２０は、面光源１４からの光を拡散してプリズムシート２２に射出する。これにより、面光源１４から射出される光は、光拡散シート２０によって指向性が弱められるため、液晶表示パネル６の表示エリア内において、ＬＥＤ１２からの距離が遠くなることによる光強度むら（輝度むら）や、面光源１４から射出される光の指向性によって発生する光強度むらを低減することができる。
【００４６】
ここで、バックライト装置４の一実施例について説明する。ＬＥＤ１２ａ，１２ｂ，１２ｃとして、素子サイズ：１．５ｍｍ×０．８ｍｍ、高さ０．６ｍｍのチップ型ＬＥＤを使用すると共に、基板１０として、厚みが１５０μｍのポリイミド製フレキシブル基板を使用することによって、配線を含め基板１０上に高密度の実装（ＬＥＤの間隔：約３ｍｍ）を実現することができた。又、スペーサ１８として、厚みが２ｍｍの透明ビニールフィルムを使用し、光拡散シート２０として、ポリエステル等の透明な合成樹脂製シートに透明ビーズを混入した樹脂をコートしてなるものを使用する。溝部２２ａ，２４ａの間隔が０．０５ｍｍで頂角が９０度のプリズムシート２２，２４を、溝部２２ａ，２４ａ方向が互いに略直交するように２枚積層することによって、液晶表示パネル６に入射する光の一様性を実現することができた。
【００４７】
これら基板１０、光反射シート１６、スペーサ１８、光拡散シート２０、プリズムシート２２，２４及び後記する液晶表示パネル６の固定方法としては、例えば、これらの周縁部を接着剤によって接着する方法であってもよく、その他の公知の方法を適宜使用可能である。
【００４８】
（液晶表示パネル）
液晶表示パネル６は、図１及び図２に示すように、バックライト装置４のプリズムシート２４の出光側に配置されている。液晶表示パネル６は、複数の画素５０が配列されている（図６参照）。複数の画素５０の隣り合う画素５０の並びと、プリズムシート２２の溝部２２ａ，２４ａのプリズム構造の凸条の稜線の延在方向とは、互いに交差する（一致しない）ように配置されている。液晶表示パネル６は、透明電極５２を画素５０毎に設けた一対の透明基板５４の間に表示媒体である液晶層５６を保持する構造、即ち画素構造を有しており、バックライト装置４が発した光を空間的に変調して表示画像を生成するための装置である。図２中の矢印が、表示画像としての光を表している。液晶表示パネル６は、アクティブ素子であるＴＦＴ（Thin Film Transistor）を用いた所謂透過型のアクティブ液晶表示素子である。ＴＦＴの構成等の基本構造は、公知のものを用いているため説明を省略する。液晶表示パネル６は、これに限らず、例えば、アクティブ素子としてＴＦＤ（Thin Film Diode）を用いたものや、表示用の電極が格子状に配置されたパッシブ型の液晶表示素子でもよい。尚、通常、液晶表示パネル６の表面には、光を偏向させる偏光板、或いは光学機能性フィルムと貼り合わされた偏光板が配設されるが、図では省略している。
【００４９】
図６は、本実施形態に係る液晶表示パネル６の画素の配列を示す平面図である。液晶表示パネル６は、図６に示すように、３色（ＲＧＢ）の色要素であるカラーフィルタを有するサブ画素５０Ｒ，５０Ｇ，５０Ｂからなる画素５０を複数備えている。これらのサブ画素５０Ｒ，５０Ｇ，５０Ｂの配列は、同色のサブ画素がＹ方向に配列し、異なる色のサブ画素がＸ方向にＲＧＢの順に配列した所謂ストライプ方式である。これによりカラー表示を可能としている。
【００５０】
（表示媒体）
図１及び図２に戻り、表示媒体である液晶層５６は、透明電極５２からの電圧印加に応じて分子配向が変わり、光学特性が変化することによって入射光を変調する層である。液晶層５６を用いた液晶表示装置２は、液晶層５６を一対の偏光フィルムで挟むことによって、透過光を変調して表示動作を行う透過型方式が好適である。液晶層５６の材料としては、ネマティック液晶、コレステリック液晶、スメクティック液晶（高速動作が可能な強誘電性液晶を含む）等が好適である。又、液晶層５６は、透明電極５２上（液晶層側面上）に設けられた配向膜（摩擦処理したポリイミド樹脂等）の作用によって、液晶分子の初期配向を、ホメオトロピック（垂直）配向、ホモジニアス（水平）配向、ねじれ配向、パイ型配向、垂直配向及び水平配向を組み合わせたハイブリッド配向等に設定することも可能である。尚、前記した配向以外であってもよい。尚、液晶表示装置２において入射光や射出光の偏光を揃える偏光板（偏光フィルム）を用いる場合には、偏光フィルムを透明基板５４に貼り付ける等して、液晶表示パネル６に一体化して設けることもできる。
【００５１】
（透明電極）
透明電極５２は、液晶層５６に電圧を印加するための電極であり、酸化インジウム−酸化錫（ＩＴＯ）、酸化インジウム、酸化錫、酸化亜鉛、酸化インジウム−酸化亜鉛系等の金属酸化物が好適である。透明電極５２は、化学的気相成長法、真空蒸着法、イオンプレーティング法、スパッタリング法等の技術を用いて金属酸化物を透明基板５４上に堆積することにより形成されるが、透明基板５４との密着性等を考慮すると、スパッタリング法が好ましい。又、金属酸化物以外の透明電極５２として、ポリチオフェン系樹脂等の透明な有機系導電性材料が好適である。この場合、透明電極５２は、スピンコート法、印刷法等の技術を用いて透明基板５４上に薄膜状に塗布することにより形成される。
【００５２】
（透明基板）
透明基板５４は、透明電極５２が形成されており、液晶層５６を対向保持する基板である。透明基板５４の材料としては、光透過率等の光学特性に優れたポリカーボネート、ポリエーテルスルホン、ポリエチレンテレフタレート、ポリアリレート等が好適である。透明基板５４の厚みは、好ましくは５〜５００μｍであり、より好ましくは５０〜２００μｍである。又、透明基板５４の可視光における光透過率は、８０％以上であることが好ましい。又、液晶表示パネル６の動作安定性を確保するため、透明基板５４上に無機材料からなる薄膜から構成されるガスバリア層を形成してもよい。かかる無機材料からなる薄膜としては、ＳｉＯX（１．０≦Ｘ≦２．０）膜、ＳｉＮ膜、又はこれらの多層膜が好適である。
【００５３】
前記したＬＥＤ１２は、ＬＥＤ用駆動装置２６によって駆動され、液晶表示パネル６は、液晶表示パネル用駆動装置６０によって駆動される。ＬＥＤ用駆動装置２６は、ＬＥＤ用電源によってＬＥＤ１２を駆動する装置であり、切換回路を備えている。ＬＥＤ用電源は、ＬＥＤ１２へ電流又は電圧を供給するものである。制御装置５８は、切換回路の接続状態を切り換えることによって、ＬＥＤ１２ａ，１２ｂ，１２ｃへの電流（電圧）供給状態を切り換え、ＬＥＤ１２ａ，１２ｂ，１２ｃを種類毎に発光させることができる。又、液晶表示パネル用駆動装置６０は、液晶表示パネル用電源によって液晶表示パネル６を駆動する装置であり、切換回路を備えている。液晶表示パネル用電源は、液晶表示パネル６の透明電極５２への電流又は電圧を供給するものである。制御装置５８は、切換回路の接続状態を切り換えることによって、透明電極５２への電流（電圧）供給状態を切り換え、液晶表示パネル６の画素毎の電圧印加状態を切り換えることができる。尚、ＬＥＤ１２として白色ＬＥＤを使用する場合には、切換回路は不要である。各種電源としては、商用電源、電池等を使用することができる。
【００５４】
バックライト装置４が３原色のいずれかを発光するＬＥＤ１２ａ，１２ｂ，１２ｃからなるアレイを備えている場合には、制御装置５８が、それらの発光の高速応答性を活かしてＬＥＤ１２ａ，１２ｂ，１２ｃに３原色を高速に逐次発光させ、発光周期に応じて液晶表示パネル６を作動させることによって、カラー表示を実現することができる（フィールドシーケンシャルカラー表示方式）。このフィールドシーケンシャルカラー表示方式の場合、液晶表示パネル６の画素を３原色のいずれかに対応するカラー画素とする必要が無いため、液晶表示パネル６及び各駆動装置２６，６０を単純化でき、高解像度を有する液晶表示装置２を提供することができる。発光周期に関しては、液晶表示装置２をテレビに適用した場合には、ビデオ信号のフレーム周波数（又はフィールド周波数）の３Ｎ倍（Ｎは１以上の整数）となる。
【００５５】
（第２の実施形態）
上述した第１の実施形態は、複数のＬＥＤ１２は、異なる色の色光を発光するＬＥＤを採用していた。これに対して、本実施形態においては、異なる色の色光を発光する複数の発光部２８を含んでいる点において異なる。以下に、本実施形態について図を参照して詳細に説明する。尚、上記第１の実施形態と同様の構成等については省略又は簡略化して説明する。
【００５６】
図７は、本実施形態に係る複数のＬＥＤ１２の配列とプリズムシート２２（２４）のプリズム構造２２ｂ（２４ｂ）の凸条の稜線の延在方向とを示す平面図である。本実施形態における複数のＬＥＤ１２は、図７に示すように、異なる色の色光を発光する複数の発光部２８を含んでいる。複数の発光部２８は、赤色発光部２８ａ、緑色発光部２８ｂ及び青色発光部２８ｃを含んでいる。例えばＬＥＤ１２は、一種類の白色ＬＥＤである。
【００５７】
破線６２は、左上のＬＥＤ１２に対する隣り合うＬＥＤの並び方向を示している。ここで、隣り合うＬＥＤとは、あるＬＥＤと、それを１重に取り囲む各ＬＥＤとのことである。例えば、図７に示す左上のＬＥＤ１２は８個の各ＬＥＤと隣り合う、図はその１／４事象を含む３個のＬＥＤを示している。尚、隣り合うＬＥＤとは、あるＬＥＤと、それを二重以上に取り囲む各ＬＥＤとのことであってもよい。
【００５８】
実線３２はプリズムシート２２（２４）のプリズム構造２２ｂ（２４ｂ）の凸条の稜線の延在方向を示している。複数のＬＥＤ１２の隣り合うＬＥＤ１２の並びと、プリズムシート２２，２４のプリズム構造２２ｂ，２４ｂの凸条の稜線の延在方向とは、互いに交差するように配置されている。
【００５９】
複数のＬＥＤ１２の隣り合うＬＥＤ１２の並びと、プリズムシート２２，２４のプリズム構造２２ｂ，２４ｂの凸条の稜線の延在方向とが、ずれることによりプリズム構造で反射する光と正面に射出される光の割合が変わるので、プリズムシートのプリズム構造の凸条の稜線の延在方向の光強調が緩和されやすくなる。従って、ＬＥＤの並び毎に明と暗が繰り返される場合に比べて、光強度むらが密集しにくいので、光強度むらが目立ち難くなる。
【００６０】
（電子機器）
本実施形態の液晶表示装置を表示部に搭載した電子機器について、図８を基に説明する。
図８は、本実施形態に係る電子機器としての携帯電話機を示す概略斜視図である。本実施形態の携帯電話機１００は、図８に示すように、本体１０２とカバー１０４とからなり、カバー１０４が折りたたみできるように本体１０２の一端部に取り付けられている。本体１０２には、略中央部に設けられた表示部１０６と、表示部１０６の下側に配列した操作部１０８と、表示部１０６の上側に設けられた受話部１１０とを備えている。又、送受信用のアンテナ１１２は、本体１０２内に伸縮自在に内蔵されている。表示部１０６には、透過型の液晶表示装置、或いは半透過反射型の液晶表示装置が搭載されている。カバー１０４の内側には、送話部１１４が設けられており、カバー１０４を開いて電話をかけるようになっている。これにより、携帯電話機１００は、表示部１０６に透過型の液晶表示装置、或いは半透過反射型の液晶表示装置を備えているため、適正なカラー表示が可能であり、ＬＥＤからの光と画素との干渉による干渉縞やＬＥＤからの光の強度むらが目立ち難い見映えのよい表示画面で必要な情報を確認することができる携帯電話機１００を提供することができる。
【００６１】
上記実施形態以外の変形例は、以下の通りである。
（変形例１）
図９は、サブ画素の配列の方式を示す概略平面図である。上記実施形態の各液晶表示装置２は、同図（Ａ）に示すようにストライプ方式を採用しているが、これに限定されない。同図（Ｂ）のモザイク方式、同図（Ｃ）のデルタ方式のサブ画素の配置においても、複数の画素５０の隣り合う画素５０の並びと、プリズムシート２２の溝部２２ａ，２４ａのプリズム構造の凸条の稜線の延在方向とを、互いに交差するように配置させることが可能である。
【００６２】
（変形例２）
上記実施形態の液晶表示装置２を搭載した電子機器は、携帯電話機１００に限定されない。電子ブック、パーソナルコンピュータ、ディジタルスチルカメラ、液晶テレビ、ビューファインダ型或いはモニタ直視型のビデオレコーダ、カーナゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても見映えのよい表示を行うことができる。
【図面の簡単な説明】
【００６３】
【図１】第１の実施形態に係る液晶表示装置を示す分解斜視図。
【図２】第１の実施形態に係る液晶表示装置を示す模式断面図。
【図３】第１の実施形態に係る光反射シート及び基板を示す模式断面図であり、（Ａ）は組付前を示す図、（Ｂ）は組付後を示す図。
【図４】第１の実施形態に係るプリズムシートの形状を示す拡大図。
【図５】第１の実施形態に係る複数のＬＥＤの配列とプリズムシートのプリズム構造の凸条の稜線の延在方向とを示す平面図。
【図６】第１の実施形態に係る液晶表示パネルの画素の配列を示す平面図。
【図７】第２の実施形態に係る複数のＬＥＤの配列とプリズムシートのプリズム構造の凸条の稜線の延在方向とを示す平面図。
【図８】本実施形態に係る電子機器としての携帯電話機を示す概略斜視図。
【図９】本変形例に係るサブ画素の配列の方式を示す概略平面図。
【符号の説明】
【００６４】
２…液晶表示装置  ４…バックライト装置（照明装置）  ６…液晶表示パネル  １０…基板  １２…ＬＥＤ（光源）  １４…電子回路基板（面光源）  １６…光反射シート  １８…スペーサ  ２０…光拡散シート  ２２…プリズムシート（第１の集光シート）  ２４…プリズムシート（第２の集光シート）  ２６…ＬＥＤ用駆動装置  ２８…発光部  ３０…破線  ３２…実線  ５０…画素  ５２…透明電極  ５４…透明基板  ５６…液晶層  ５８…制御装置  ６０…液晶表示パネル用駆動装置  ６２…破線  １００…携帯電話機  １０２…本体  １０４…カバー  １０６…表示部  １０８…操作部  １１０…受話部  １１２…アンテナ  １１４…送話部。
【図１】
2010049955.tif 000003
【図２】
2010049955.tif 000004
【図３】
2010049955.tif 000005
【図４】
2010049955.tif 000006
【図５】
2010049955.tif 000007
【図６】
2010049955.tif 000008
【図７】
2010049955.tif 000009
【図８】
2010049955.tif 000010
【図９】
2010049955.tif 000011